(57)【要約】【課題】装置への入力映像信号自体にガマット・エラーが存在するかの確認と、装置内部での信号処理によりガマット・エラーが発生したかの確認とを選択的に行えるようにする。【解決手段】入力映像信号のガマット・エラーを検出する第１のガマット・エラー検出手段３と、入力映像信号に信号処理を施す信号処理手段４と、信号処理手段４により信号処理を施された映像信号のガマット・エラーを検出する第２のガマット・エラー検出手段５と、検出手段３，５での検出条件をそれぞれ指定するための操作手段１４と、操作手段１４で指定された検出条件に応じて検出手段３，５を制御し、検出手段３，５の検出結果に基づいてガマット・エラー通知用情報を作成する制御手段１３と、制御手段１３により作成されたガマット・エラー通知用情報を出力する出力手段１１及び１２とを備える。【選択図】図１
2009044352.tif 000002
【特許請求の範囲】
【請求項１】
入力映像信号のガマット・エラーを検出する第１のガマット・エラー検出手段と、
前記入力映像信号に信号処理を施す信号処理手段と、
前記信号処理手段によって信号処理を施された映像信号のガマット・エラーを検出する第２のガマット・エラー検出手段と、
前記第１のガマット・エラー検出手段，前記第２のガマット・エラー検出手段での検出条件をそれぞれ指定する操作を行うための操作手段と、
前記操作手段で指定された検出条件に応じて前記第１のガマット・エラー検出手段，前記第２のガマット・エラー検出手段を制御し、前記第１のガマット・エラー検出手段，前記第２のガマット・エラー検出手段の検出結果に基づいてガマット・エラー通知用情報を作成する制御手段と、
前記制御手段によって作成された前記ガマット・エラー通知用情報を出力する出力手段と
を備えたことを特徴とするガマット・エラーの二重検出装置。
【請求項２】
請求項１に記載のガマット・エラーの二重検出装置において、
前記操作手段の操作内容は、前記第１のガマット・エラー検出手段，前記第２のガマット・エラー検出手段での検出動作のオン／オフをそれぞれ指定する操作を含む
ことを特徴とするガマット・エラーの二重検出装置。
【請求項３】
請求項１に記載のガマット・エラーの二重検出装置において、
前記操作手段の操作内容は、前記第１のガマット・エラー検出手段，前記第２のガマット・エラー検出手段がガマット・エラー検出の基準として用いる振幅レベルの閾値をそれぞれ指定する操作を含む
ことを特徴とするガマット・エラーの二重検出装置。
【請求項４】
請求項１に記載のガマット・エラーの二重検出装置において、
前記制御手段は、前記ガマット・エラー通知用情報として、ガマット・エラーの有無を示す情報、及び、ガマット・エラーが存在する場合には、前記入力映像信号自体にガマット・エラーが存在するのか、前記信号処理手段での信号処理によってガマット・エラーが発生したのかを示す情報を作成する
ことを特徴とするガマット・エラーの二重検出装置。
【請求項５】
請求項１に記載のガマット・エラーの二重検出装置において、
前記第１のガマット・エラー検出手段は、前記入力映像信号の振幅レベルが、前記入力映像信号の信号フォーマットにおける有効な振幅レベルを逸脱しているか否かを検出する
ことを特徴とするガマット・エラーの二重検出装置。
【請求項６】
請求項１に記載のガマット・エラーの二重検出装置において、
前記信号処理手段は、前記入力映像信号の信号フォーマットを変換し、
前記第２のガマット・エラー検出手段は、前記信号処理手段による変換後の映像信号が、変換後の信号フォーマットにおける有効な振幅レベルを逸脱しているか否かを検出する
ことを特徴とするガマット・エラーの二重検出装置。
【発明の詳細な説明】
【技術分野】
【０００１】
本発明は、ガマット・エラーの検出機能を有する装置に関し、特に、装置への入力映像信号自体のガマット・エラーと、装置内部での信号処理によって発生したガマット・エラーとを、選択的に検出可能にしたものに関する。
【背景技術】
【０００２】
テレビジョン放送局や映像製作の現場などでは、映像をマスターモニターに表示させて画質のチェックなどを行うことが一般的である。
【０００３】
映像信号には、各々の信号フォーマットによって有効な振幅レベルの上限及び下限が定められており、この上限と下限との間の領域（有効な映像信号として扱える全領域であるガマット）を逸脱すると、色を正確に再現できなくなる。しかし、映像製作の課程では、この領域を逸脱するガマット・エラーが発生することもある。そこで、従来から、マスターモニターとしては、入力映像信号のガマット・エラーを検出する機能を有するものが存在していた。
【０００４】
また、文献上、従来から、シリアル・デジタル形式の映像信号のガマット・エラーを検出可能とする装置（特許文献１）や、検出したガマット・エラーの表示方法に特徴を持たせた装置（特許文献２）が提案されている。しかし、それらの装置で検出しているガマット・エラーも、装置への入力映像信号のガマット・エラーであった。
【０００５】
【特許文献１】特開平６−３０３６４８号公報
【特許文献２】特開２００５−１２８０２号公報
【発明の開示】
【発明が解決しようとする課題】
【０００６】
しかし、マスターモニターへの入力映像信号自体にはガマット・エラーが存在していなくても、マスターモニターの内部で入力映像信号に信号処理を施すことによって映像信号にガマット・エラーが発生することもある。
【０００７】
従来のマスターモニターでは、こうした内部の信号処理によって発生するガマット・エラーは検出されない。そのため、ユーザーは、入力映像信号自体にはガマット・エラーが存在しないことを確認できても、その入力映像信号どおりの画質の映像が忠実にマスターモニターに表示されているかどうか（内部の信号処理で発生したガマット・エラーを原因として、入力映像信号とは異なった画質の映像が表示されていないか）を確認することができなかった。
【０００８】
そこで、本発明は、このマスターモニターのように入力映像信号に内部で信号処理を施す装置において、ユーザーが、装置への入力映像信号自体にガマット・エラーが存在しているか否かの確認と、装置内部での信号処理によってガマット・エラーが発生したか否かの確認とを、選択的に行えるようにすることを課題とする。
【課題を解決するための手段】
【０００９】
この課題を解決するため、本発明に係るガマット・エラーの二重検出装置は、
入力映像信号のガマット・エラーを検出する第１のガマット・エラー検出手段と、
前記入力映像信号に信号処理を施す信号処理手段と、
前記信号処理手段によって信号処理を施された映像信号のガマット・エラーを検出する第２のガマット・エラー検出手段と、
前記第１のガマット・エラー検出手段，前記第２のガマット・エラー検出手段での検出条件をそれぞれ指定する操作を行うための操作手段と、
前記操作手段で指定された検出条件に応じて前記第１のガマット・エラー検出手段，前記第２のガマット・エラー検出手段を制御し、前記第１のガマット・エラー検出手段，前記第２のガマット・エラー検出手段の検出結果に基づいてガマット・エラー通知用情報を作成する制御手段と、
前記制御手段によって作成された前記ガマット・エラー通知用情報を出力する出力手段と
を備えたことを特徴とする。
【００１０】
このガマット・エラーの二重検出装置では、入力映像信号自体に存在するガマット・エラーを検出する第１のガマット・エラー検出手段と、装置内部での信号処理によって発生したガマット・エラーを検出する第２のガマット・エラー検出手段とが設けられている。
【００１１】
また、操作手段の操作によって、この第１のガマット・エラー検出手段，第２のガマット・エラー検出手段での検出条件をそれぞれ指定可能になっている。
【００１２】
ユーザーが、この操作手段で検出条件を指定すると、制御手段がその検出条件に応じて第１のガマット・エラー検出手段，第２のガマット・エラー検出手段を制御し、第１のガマット・エラー検出手段，第２のガマット・エラー検出手段の検出結果に基づいてガマット・エラー通知用情報を作成する。そして、そのガマット・エラー通知用情報が出力手段か出力されることによってユーザーに通知される。
【００１３】
こうした構成のガマット・エラーの二重検出装置によれば、ユーザーが、第１のガマット・エラー検出手段，第２のガマット・エラー検出手段での検出条件をそれぞれ指定することにより、第１のガマット・エラー検出手段でガマット・エラーが検出されたか否か（すなわち装置への入力映像信号自体にガマット・エラーが存在しているか否か）の確認と、第２のガマット・エラー検出手段でガマット・エラーが検出されたか否か（すなわち装置内部での信号処理によってガマット・エラーが発生したか否か）の確認とを、選択的に行うことができる。
【発明の効果】
【００１４】
本発明に係るガマット・エラーの二重検出装置によれば、ユーザーが、装置への入力映像信号自体にガマット・エラーが存在しているか否かの確認と、装置内部での信号処理によってガマット・エラーが発生したか否かの確認とを、選択的に行うことができるという効果が得られる。
【発明を実施するための最良の形態】
【００１５】
以下、本発明をマスターモニターに採用した実施の形態を、図面を用いて具体的に説明する。図１は、本発明を採用したマスターモニターの回路構成を示すブロック図である。
【００１６】
このマスターモニター１には、映像信号入力部２と、ガマット・エラー検出部３と、ＹＣｂＣｒ／ＲＧＢ変換部４と、ガマット・エラー検出部５と、ＩＰ変換・スケーリング部６と、ＲＧＢ／ＹＣｂＣｒ変換部７と、コントラスト・ブライトネス調整部８と、ＹＣｂＣｒ／ＲＧＢ変換部９と、色空間変換部１０と、映像合成部１１と、液晶表示部１２と、マイクロプロセッサ１３と、操作パネル１４とが設けられている。
【００１７】
映像信号入力部２は、シリアル伝送される下記の（1）〜（4）の４種類の信号フォーマットのデジタル映像信号を入力し、それらの映像信号をデコード（ＮＲＺ変換やデスクランブルやパラレル変換）する回路である。
（1）Ｄ１／ＨＤ−ＳＤＩ  ＹＣｂＣｒ  １０ｂｉｔ
（2）ＨＤ−ＳＤＩ  ＲＧＢ  １０ｂｉｔ
（3）ＨＤ−ＳＤＩ  ＹＣｂＣｒ  １２ｂｉｔ
（4）ＨＤ−ＳＤＩ  ＲＧＢ  １２ｂｉｔ
【００１８】
映像信号入力部２でデコードされた入力映像信号は、ガマット・エラー検出部３に送られる。ガマット・エラー検出部３は、入力映像信号の個々の画素（ドット）のデータ毎に、そのデータの振幅レベルが、入力映像信号の信号フォーマットにおける有効な振幅レベルを逸脱しているか否かを検出する回路である。
【００１９】
ガマット・エラー検出部３がガマット・エラー検出の基準として用いる振幅レベルの上限,下限の閾値は、マスターモニター１の工場出荷時に、信号フォーマット毎に、図２に示すようなデフォルト値に設定されている。この図２において、１０ｂｉｔの映像信号についての閾値は、信号の最大レベルを２１０−１＝１０２３としたときのレベルで表しており、１２ｂｉｔの映像信号についての閾値は、信号の最大レベルを２１２−１＝４０９５としたときのレベルで表している。
【００２０】
マイクロプロセッサ１３は、マスターモニター１の各部を制御するプロセッサである。図２に示したデフォルト値は、マイクロプロセッサ１３内のＲＯＭに格納されている。
【００２１】
また、操作パネル１４では、ガマット・エラー検出部３での検出条件として、下記の（a）及び（b）の事項を指定する操作が可能になっている。
（a）ガマット・エラー検出部３の検出動作のオン／オフを指定すること。
（b）ガマット・エラー検出部３がガマット・エラー検出の基準として用いる振幅レベルの上限,下限の閾値として、信号フォーマット毎に、図２に示したデフォルト値とは異なる値を指定すること。
【００２２】
ガマット・エラー検出部３から出力された映像信号は、ＹＣｂＣｒ／ＲＧＢ変換部４に送られる。ＹＣｂＣｒ／ＲＧＢ変換部４は、上記（1）及び（2）の２種類の信号フォーマットのＹＣｂＣｒ信号を、マトリクス変換処理によってＲＧＢ信号に変換する回路である。
【００２３】
ＹＣｂＣｒ／ＲＧＢ変換部４から出力された映像信号は、ガマット・エラー検出部５に送られる。映像信号は信号フォーマット毎に異なる色空間を持っているので、ＹＣｂＣｒ信号としては有効な領域内のレベルであっても、ＲＧＢ信号に変換すると有効な領域を逸脱したレベルになることがある。ガマット・エラー検出部５は、ＹＣｂＣｒ／ＲＧＢ変換部４でのＲＧＢ変換後の映像信号の個々の画素のデータ毎に、そのデータの振幅レベルが、ＲＧＢ信号として有効な振幅レベルを逸脱しているか否かを検出する回路である。
【００２４】
ガマット・エラー検出部５がガマット・エラー検出の基準として用いる振幅レベルの上限,下限の閾値も、マスターモニター１の工場出荷時に、図２に示すようなデフォルト値に設定されて、マイクロプロセッサ１３内のＲＯＭに格納されている。
【００２５】
また、操作パネル１４では、ガマット・エラー検出部５での検出条件としても、下記の（c）及び（d）の事項を指定する操作が可能になっている。
（c）ガマット・エラー検出部５の検出動作のオン／オフを指定すること。
（d）ガマット・エラー検出部５がガマット・エラー検出の基準として用いる振幅レベルの上限,下限の閾値として、図２に示したデフォルト値とは異なる値を指定すること。
【００２６】
ガマット・エラー検出部５から出力された映像信号は、ＩＰ変換・スケーリング部６に送られる。ＩＰ変換・スケーリング部６は、インターレース方式の映像信号をプログレッシブ方式に変換する処理と、映像信号のサイズを液晶表示部１２の表示サイズに合わせて変更する処理とを行う回路である。
【００２７】
ＩＰ変換・スケーリング部６から出力された映像信号は、ＲＧＢ／ＹＣｂＣｒ変換部７に送られる。ＲＧＢ／ＹＣｂＣｒ変換部７は、ＲＧＢ信号を、マトリクス変換処理によってＹＣｂＣｒ信号に変換する回路である。
【００２８】
ＲＧＢ／ＹＣｂＣｒ変換部７から出力された映像信号は、コントラスト・ブライトネス調整部８に送られる。コントラスト・ブライトネス調整部８は、操作パネル１４での操作に基づき、映像信号のコントラストやブライトネスを調整する回路である。
【００２９】
コントラスト・ブライトネス調整部８から出力された映像信号は、ＹＣｂＣｒ／ＲＧＢ変換部９に送られて再びＲＧＢ信号に変換された後、色空間変換部１０に送られる。色空間変換部１０は、映像信号の色空間を変換することにより、液晶モニターにおいてＣＲＴモニターに近い色再現特性を実現させる処理（カラーマッチング）を行う回路である。
【００３０】
色空間変換部１０から出力された映像信号は、映像合成部１１に送られる。映像合成部１１は、色空間変換部１０からの映像信号に、マイクロプロセッサ１３から送られる画像データや文字データを合成する回路である。
【００３１】
映像合成部１１から出力された映像信号は、液晶表示部１２に送られて、その液晶画面に表示される。
【００３２】
図３は、マイクロプロセッサ１３が、ガマット・エラーの検出・通知に関して実行する処理を示すフローチャートである。この処理では、最初に、操作パネル１４から、ガマット・エラー検出部３について現在指定されている前述の（a）及び（b）の検出条件の情報、すなわち、検出動作のオン／オフのいずれが指定されているかの情報と、デフォルト値（図２）とは異なる閾値が指定されているか否かの情報とを取得する（ステップＳ１）。
【００３３】
そして、その検出条件の情報に応じて、ガマット・エラー検出部３を制御する。すなわち、検出動作のオフが指定されている場合には、ガマット・エラー検出部３にガマット・エラーの検出動作を行わせない。また、検出動作のオンが指定されている場合であって、デフォルト値とは異なる閾値が指定されている場合には、その指定された閾値をガマット・エラー検出の基準として用いたガマット・エラーの検出動作を、ガマット・エラー検出部３に行わせる。また、検出動作のオンが指定されている場合であって、デフォルト値とは異なる閾値が指定されていない場合には、ＲＯＭに格納されているデフォルト値をガマット・エラー検出の基準として用いたガマット・エラーの検出動作を、ガマット・エラー検出部３に行わせる（ステップＳ２）。
【００３４】
続いて、操作パネル１４から、ガマット・エラー検出部５について現在指定されている前述の（c）及び（d）の検出条件の情報、すなわち、検出動作のオン／オフのいずれが指定されているかの情報と、デフォルト値（図２）とは異なる閾値が指定されているか否かの情報とを取得する（ステップＳ３）。
【００３５】
そして、その検出条件の情報に応じて、ガマット・エラー検出部５を制御する。すなわち、検出動作のオフが指定されている場合には、ガマット・エラー検出部５にガマット・エラーの検出動作を行わせない。また、検出動作のオンが指定されている場合であって、デフォルト値とは異なる閾値が指定されている場合には、その指定された閾値をガマット・エラー検出の基準として用いたガマット・エラーの検出動作を、ガマット・エラー検出部５に行わせる。また、検出動作のオンが指定されている場合であって、図２に示したデフォルト値とは異なる閾値が指定されていない場合には、ＲＯＭに格納されているデフォルト値をガマット・エラー検出の基準として用いたガマット・エラーの検出動作を、ガマット・エラー検出部５に行わせる（ステップＳ４）。
【００３６】
続いて、ガマット・エラー検出部３，ガマット・エラー検出部５のうち、ステップＳ２及びＳ４で動作さているほうの検出部から、ガマット・エラーの検出結果の情報を取得する（ステップＳ５）。
【００３７】
続いて、その検出結果の情報に基づき、映像合成部１１で映像信号に合成させるガマット・エラー通知用情報を作成する。このガマット・エラー通知用情報としては、ガマット・エラーが検出された画素位置にのみ特定の色を表示させる画像データであって、ガマット・エラー検出部３，ガマット・エラー検出部５のうちのいずれでガマット・エラーが検出されたかによってその特定の色を異ならせるもの（例えば、ガマット・エラー検出部３だけでガマット・エラーが検出された場合には黄色とし、ガマット・エラー検出部５だけでガマット・エラーが検出された場合にはピンク色とし、ガマット・エラー検出部３及びガマット・エラー検出部５の両方でガマット・エラーが検出された場合には赤色とするもの）を作成する（ステップＳ６）。
【００３８】
ただし、ステップＳ６において作成するガマット・エラー通知用情報の別の例として、所定の複数フレームに亘って連続してガマット・エラーが検出された場合にだけ、検出されたガマット・エラーの内容を表す文字データを作成する（例えば、ガマット・エラー検出部３だけでガマット・エラーが検出された場合には「入力映像信号にガマット・エラーがあります」という文字データを作成し、ガマット・エラー検出部５だけでガマット・エラーが検出された場合には「ＲＧＢ変換後の映像信号にガマット・エラーがあります」という文字データを作成し、ガマット・エラー検出部３及びガマット・エラー検出部５の両方でガマット・エラーが検出された場合には「入力映像信号・ＲＧＢ変換後の映像信号の両方にガマット・エラーがあります」という文字データを作成する）ようにしてもよい。
【００３９】
ステップＳ６に続き、ステップＳ６で作成したガマット・エラー通知用情報を、映像合成部１１に送って映像信号に合成させる（ステップＳ７）。そしてステップＳ１に戻る。
【００４０】
次に、このマスターモニター１におけるガマット・エラーの検出・通知の様子について説明する。ユーザーは、マスターモニター１への入力映像信号にガマット・エラーが存在しているか否かの確認だけを行いたい場合には、操作パネル１４を操作することにより、前述の（a）及び（c）の検出条件として、ガマット・エラー検出部３の検出動作のオンを指定し、且つ、／ガマット・エラー検出部５の検出動作のオフを指定する。また、必要に応じて、前述の（c）の検出条件として、デフォルト値とは異なる値を指定する。
【００４１】
すると、マイクロプロセッサ１３の処理（図３）により、図４に示すように、入力映像信号のガマット・エラーの検出結果だけがマイクロプロセッサ１３に送られ、その検出結果を示すガマット・エラー通知用情報（画像データ、あるいは別の例では文字データ）が、映像合成部１１を介して液晶表示部１２で表示される。これにより、マスターモニター１への入力映像信号のガマット・エラーの検出結果が、ユーザーに通知される。
【００４２】
他方、ユーザーは、マスターモニター１内部でのＲＧＢ変換によってガマット・エラーが発生したか否かの確認だけを行いたい場合には、操作パネル１４を操作することにより、前述の（a）及び（c）の検出条件として、ガマット・エラー検出部３の検出動作のオフを指定し、且つ、／ガマット・エラー検出部５の検出動作のオンを指定する。また、必要に応じて、前述の（d）の検出条件として、デフォルト値とは異なる値を指定する。
【００４３】
すると、マイクロプロセッサ１３の処理（図３）により、図５に示すように、ＲＧＢ変換後の映像信号のガマット・エラーの検出結果だけがマイクロプロセッサ１３に送られ、その検出結果を示すガマット・エラー通知用情報（画像データ、あるいは別の例では文字データ）が、映像合成部１１を介して液晶表示部１２で表示される。これにより、マスターモニター１内部でのＲＧＢ変換後の映像信号のガマット・エラーの検出結果が、ユーザーに通知される。
【００４４】
他方、ユーザーは、マスターモニター１への入力映像信号にガマット・エラーが存在しているか否かの確認と、マスターモニター１内部での装置内部でのＲＧＢ変換によってガマット・エラーが発生したか否かの確認との両方を行いたい場合には、操作パネル１４を操作することにより、前述の（a）及び（c）の検出条件として、ガマット・エラー検出部３の検出動作のオンを指定し、且つ、／ガマット・エラー検出部５の検出動作のオンを指定する。また、必要に応じて、前述の（c）及び（d）の検出条件として、デフォルト値とは異なる値を指定する。
【００４５】
すると、マイクロプロセッサ１３の処理（図３）により、図６に示すように、入力映像信号のガマット・エラーの検出結果と、ＲＧＢ変換後の映像信号のガマット・エラーの検出結果との両方がマイクロプロセッサ１３に送られ、それらの検出結果を示すガマット・エラー通知用情報（画像データ、あるいは別の例では文字データ）が、映像合成部１１を介して液晶表示部１２で表示される。これにより、マスターモニター１への入力映像信号のガマット・エラーの検出結果と、マスターモニター１内部でのＲＧＢ変換後の映像信号のガマット・エラーの検出結果との両方が、ユーザーに通知される。
【００４６】
このように、このマスターモニター１によれば、ユーザーが、操作パネル１４でガマット・エラー検出部３，ガマット・エラー検出部５での検出条件をそれぞれ指定することにより、マスターモニター１への入力映像信号自体にガマット・エラーが存在しているか否かの確認と、マスターモニター１内部でのＲＧＢ変換処理によってガマット・エラーが発生したか否かの確認とを、選択的に行うことができる。
【００４７】
テレビジョン放送局や映像製作の現場などでは、映像信号を管理する目的によって、ユーザーが確認したいガマット・エラーの内容が異なってくる。このマスターモニター１では、ユーザーが確認したいガマット・エラーのみを検出して通知させることができるので、テレビジョン放送局や映像製作の現場などでの映像信号の管理が行いやすくなる。
【００４８】
また、ガマット・エラー検出の基準として用いる振幅レベルの上限,下限の閾値も、マスターモニター１への入力映像信号と、マスターモニター１内部でのＲＧＢ変換後の映像信号とで個別に指定できるので、その点でも映像信号の管理が行いやすくなる。
【００４９】
なお、以上の実施の形態では、マスターモニター１内部での信号処理後の映像信号のガマット・エラーを検出するガマット・エラー検出部として、ＲＧＢ変換後の映像信号のガマット・エラーを検出するガマット・エラー検出部５のみを設けている。しかし、別の例として、ガマット・エラー検出部５以外にも、マスターモニター１内部での信号処理後の映像信号のガマット・エラーを検出するガマット・エラー検出部を追加して設けるようにしてもよい。具体的には、色空間変換部１０によるカラーマッチング後の映像信号のレベルが、液晶表示部１２で色を再現可能な範囲（ガマット）を超えた場合にも、一種のガマット・エラーが発生するので、色空間変換部１０の後段に、このガマット・エラーを検出するガマット・エラー検出部を設けてもよい。
【００５０】
また、以上の実施の形態では、マイクロプロセッサ１３は、ガマット・エラー通知用情報として、映像信号に合成させることによって液晶表示部１２に表示させる画像データや文字データを作成している。しかし、別の例として、マイクロプロセッサ１３が、ガマット・エラー通知用情報として、液晶表示部１２以外の出力手段（例えば操作パネル上のインジケータなど）から出力させる情報を作成するようにしてもよい。
【００５１】
また、以上の実施の形態では本発明をマスターモニターに採用しているが、本発明は、入力映像信号に内部で信号処理を施すあらゆる装置に採用してよい。
【図面の簡単な説明】
【００５２】
【図１】本発明を採用したマスターモニターの回路構成を示すブロック図である。
【図２】図１のマスターモニターにおいてガマット・エラー検出の基準として用いるデフォルト値を示す図である。
【図３】図１のマイクロプロセッサがガマット・エラーの検出・通知に関して実行する処理を示すフローチャートである。
【図４】図１のマスターモニターにおけるガマット・エラーの検出・通知の様子を示す図である。
【図５】図１のマスターモニターにおけるガマット・エラーの検出・通知の様子を示す図である。
【図６】図１のマスターモニターにおけるガマット・エラーの検出・通知の様子を示す図である。
【符号の説明】
【００５３】
１  マスターモニター、  ２  映像信号入力部、  ３  ガマット・エラー検出部、  ４ＹＣｂＣｒ／ＲＧＢ変換部、  ５  ガマット・エラー検出部、  ６  ＩＰ変換・スケーリング部、  ７  ＲＧＢ／ＹＣｂＣｒ変換部、  ８  コントラスト・ブライトネス調整部、  ９  ＹＣｂＣｒ／ＲＧＢ変換部、  １０  色空間変換部、  １１  映像合成部、  １２  液晶表示部、  １３  マイクロプロセッサ、  １４  操作パネル
【図１】
2009044352.tif 000003
【図２】
2009044352.tif 000004
【図３】
2009044352.tif 000005
【図４】
2009044352.tif 000006
【図５】
2009044352.tif 000007
【図６】
2009044352.tif 000008